(57)【要約】【課題】  液晶表示モジュールの動作速度を、駆動回路を複雑化、コストアップすることなく、安価かつ確実に計測可能な検査装置を提供する。【解決手段】  電源から液晶表示モジュールの駆動回路に供給される電流値を電流検出装置により検出し、該検出された電流値をＡＤ変換回路により時系列デジタル信号に変換し、該時系列デジタル信号の周期的変化の周期に基づいて液晶表示モジュールの実際の動作速度を検出する。【選択図】  図３
2007156046.tif 000002
【特許請求の範囲】
【請求項１】
液晶パネルと、該液晶パネルを駆動する駆動回路と、を備えた液晶表示モジュールの動作速度を検査する検査装置にして、
前記駆動回路に電流を供給する電源と、
該電源から前記駆動回路に供給される電流を検出する電流検出装置と、
該電流検出装置により検出された前記駆動回路に供給される電流値をデジタル信号に変換するＡＤ変換回路と、
前記ＡＤ変換回路から前記デジタル信号を所定時間間隔で取り込んで前記電流値の時系列デジタル信号を取得し、該時系列デジタル信号の周期的変化を検出し、該周期的変化の周期に基づいて前記液晶表示モジュールの実際の動作速度を求める演算処理装置と、
を備えたことを特徴とする液晶表示モジュールの動作速度検査装置。
【請求項２】
請求項１において、前記液晶表示モジュールの動作速度検査装置は、前記駆動回路に前記液晶表示モジュールの動作速度を指令する動作速度指令手段と、前記演算処理装置により求められた実際の動作速度と前記動作速度指令手段により指令された動作速度とを比較する比較手段とを備えることを特徴とする液晶表示モジュールの動作速度検査装置。
【請求項３】
液晶パネルと、該液晶パネルを駆動する駆動回路と、を備えた液晶表示モジュールの動作速度を検査する検査装置にして、
前記駆動回路に電流を供給する電源と、
該電源から前記駆動回路に供給される電流を検出する電流検出装置と、
該電流検出装置により検出された前記駆動回路に供給される電流値をデジタル信号に変換するＡＤ変換回路と、
前記ＡＤ変換回路から前記デジタル信号を所定時間間隔で取り込んで前記電流値の時系列デジタル信号を取得し、該時系列デジタル信号をグラフ化処理して表示装置にグラフ表示させる表示処理装置と、
を備えたことを特徴とする液晶表示モジュールの動作速度検査装置。
【請求項４】
請求項３において、前記液晶表示モジュールの動作速度検査装置は、前記駆動回路に前記液晶表示モジュールの動作速度を指令する動作速度指令手段を備え、前記表示処理装置は、前記時系列デジタル信号のグラフ表示とともに、前記動作速度指令手段により指令された動作速度に基づいて前記駆動回路に供給されるべき基準電流値をグラフ表示することを特徴とする液晶表示モジュールの動作速度検査装置。
【発明の詳細な説明】
【技術分野】
【０００１】
本発明は、液晶パネルおよびその駆動回路を備えた液晶表示モジュールの動作速度を検査する検査装置に関するものである。
【背景技術】
【０００２】
制御装置から指令された周期で駆動回路が作動して画像を液晶パネルに表示する液晶表示装置において、実際に液晶パネルの画像が切り替わる動作速度である周期が指令された周期より長い場合は、点灯不良を引き起こし、短い場合は、液晶表示装置が設計値以上の電力を消費することとなる。このような、液晶パネルとその駆動回路とを含む液晶表示モジュールの動作異常は、駆動回路に使用される部品の特性、精度、実装状態等に基づいて駆動回路の動作クロックの周期が不安定または指令値に対する誤差が許容値を超える場合に生じる。従って、液晶パネルの画像が実際に切り替わる動作速度と指令値との差が許容範囲内にあるか否か検査するために、実際の動作速度を計測する必要がある。
【０００３】
液晶表示モジュールの実際の動作速度を計測するために、液晶パネルに表示される画像を切り替える度に駆動回路から専用出力信号を送出し、この専用出力信号の周期を検査装置により計測することも考えられるが、かかる専用出力信号用の出力端子を駆動回路に設けることはコストアップとなる。
【０００４】
また、特許文献１には、電源回路から液晶表示モジュールに供給される電流の値を、短時間で且つ精度よく検出可能な液晶表示モジュールの検査装置が記載されているが、電流の周期的変化の周期を計測することにより液晶表示モジュールの実際の動作速度を検出することは行われていない。即ち、特許文献１の図１に示された液晶表示装置の検査装置では、液晶表示モジュール２１を駆動するためのタイミング信号を駆動回路２３に出力し、該タイミング信号にかかるＶ同期信号に基づいて液晶表示モジュール２１に供給される駆動電流値を計測している。
【特許文献１】特開平１０−７８４６６号公報（第１頁、図１）
【発明の開示】
【発明が解決しようとする課題】
【０００５】
前述のように液晶パネルに表示される画像を切り替える度に駆動回路から専用出力信号を送出することは、駆動回路の複雑化とコストアップにつながる。また、特許文献１に記載された液晶表示装置の検出装置では、電流の周期的変化の周期を計測することにより液晶表示モジュールの動作速度を検出することは行われていない。
【０００６】
本発明は、液晶表示モジュールの動作速度を、駆動回路を複雑化、コストアップすることなく、安価かつ確実に計測可能な検査装置を提供することである。
【課題を解決するための手段】
【０００７】
上記の課題を解決するため、請求項１に記載の発明の構成上の特徴は、液晶パネルと、該液晶パネルを駆動する駆動回路と、を備えた液晶表示モジュールの動作速度を検査する検査装置にして、前記駆動回路に電流を供給する電源と、該電源から前記駆動回路に供給される電流を検出する電流検出装置と、該電流検出装置により検出された前記駆動回路に供給される電流値をデジタル信号に変換するＡＤ変換回路と、前記ＡＤ変換回路から前記デジタル信号を所定時間間隔で取り込んで前記電流値の時系列デジタル信号を取得し、該時系列デジタル信号の周期的変化を検出し、該周期的変化の周期に基づいて前記液晶表示モジュールの実際の動作速度を求める演算処理装置と、を備えたことである。
【０００８】
請求項２に記載の発明の構成上の特徴は、請求項１において、前記液晶表示モジュールの動作速度検査装置は、前記駆動回路に前記液晶表示モジュールの動作速度を指令する動作速度指令手段と、前記演算処理装置により求められた実際の動作速度と前記動作速度指令手段により指令された動作速度とを比較する比較手段とを備えることである。
【０００９】
請求項３に記載の発明の構成上の特徴は、液晶パネルと、該液晶パネルを駆動する駆動回路と、を備えた液晶表示モジュールの動作速度を検査する検査装置にして、前記駆動回路に電流を供給する電源と、該電源から前記駆動回路に供給される電流を検出する電流検出装置と、該電流検出装置により検出された前記駆動回路に供給される電流値をデジタル信号に変換するＡＤ変換回路と、前記ＡＤ変換回路から前記デジタル信号を所定時間間隔で取り込んで前記電流値の時系列デジタル信号を取得し、該時系列デジタル信号をグラフ化処理して表示装置にグラフ表示させる表示処理装置と、を備えたことである。
【００１０】
請求項４に記載の発明の構成上の特徴は、請求項３において、前記液晶表示モジュールの動作速度検査装置は、前記駆動回路に前記液晶表示モジュールの動作速度を指令する動作速度指令手段を備え、前記表示処理装置は、前記時系列デジタル信号のグラフ表示とともに、前記動作速度指令手段により指令された動作速度に基づいて前記駆動回路に供給されるべき基準電流値をグラフ表示することである。
【発明の効果】
【００１１】
上記のように構成した請求項１に係る発明においては、電源から液晶表示モジュールの駆動回路に供給される電流値を電流検出装置により検出し、該検出された電流値をＡＤ変換回路により時系列デジタル信号に変換し、該時系列デジタル信号の周期的変化の周期に基づいて液晶表示モジュールの実際の動作速度を検出するので、駆動回路を複雑化、コストアップすることなく、液晶表示モジュールの動作速度を安価かつ確実に計測することができる。
【００１２】
上記のように構成した請求項２に係る発明においては、動作速度指令手段が駆動回路に指令した液晶表示モジュールの動作速度と、電源から液晶表示モジュールの駆動回路に供給される電流値の周期的変化の周期に基づいて求められる実際の動作速度とを比較手段で比較することにより液晶表示モジュールの動作速度の良否を自動的に判定することができる。
【００１３】
上記のように構成した請求項３に係る発明においては、電源から液晶表示モジュールの駆動回路に供給される電流値を電流検出装置により検出し、該検出された電流値をＡＤ変換回路により時系列デジタル信号に変換し、該時系列デジタル信号をグラフ表示するので、駆動回路を複雑化、コストアップすることなく、液晶表示モジュールの動作速度を安価かつ確実に検査することができる。
【００１４】
上記のように構成した請求項４に係る発明においては、電源から液晶表示モジュールの駆動回路に供給される電流値をデジタル化した時系列デジタル信号のグラフ表示とともに、動作速度指令手段により指令された動作速度に基づいて駆動回路に供給されるべき基準電流値をグラフ表示することにより、液晶表示モジュールの動作速度の良否を容易に判定することができる。
【発明を実施するための最良の形態】
【００１５】
以下、図面に基づいて本発明に係る液晶表示モジュールの動作速度検査装置の実施の形態について説明する。この検査装置により動作速度を検査される液晶表示モジュール１０は、図１，２に示すように、ガラス基板１１と、ガラス基板１１の中央に設けられた液晶パネル１２と、ガラス基板１１の縁部に圧着された駆動ＩＣチップ１３およびＦＰＣ（Flexible Printed Circuit）１４等から構成されている。ＦＰＣ１４は透明または半透明のフレキシブル基板に電子回路が形成されたもので、その不透明電極部は、ＡＣＦ（Anisotropic Conductive Film）テープ等の異方性導電膜を介在してガラス基板１１の透明電極部に圧着されている。演算処理装置を内蔵する本体に液晶表示モジュール１０が組み込まれ、ＦＰＣ１４が演算処理装置に接続されて液晶表示装置が構成されている。演算処理装置はＣＰＵ、メモリ、入出力回路等から構成されている。駆動ＩＣチップ１３のメモリには、液晶パネル１２に表示される画像を切り替える周期が動作速度として演算処理装置から入力されて記憶されるとともに、画像情報が入力されて記憶される。駆動ＩＣチップ１３は駆動回路として機能し、メモリに記憶された周期情報とメモリに記憶された画像情報に基づいて液晶パネルの電極に電圧を印加し、画像情報に対応する画像を液晶パネル１２に表示させる。駆動ＩＣチップ１３のメモリには任意の指令周期Ｔｃを登録することが可能であり、液晶表示モジュール１０は、登録された指令周期Ｔｃで表示画像の切替を行う。
【００１６】
なお、液晶表示モジュール１０が通常状態で使用される場合、駆動ＩＣチップ１３のメモリには、通常動作状態では、例えば、１６．６msec（６０ＨＺ）、待機モードでは、２００mec(５ＨＺ)などのように指令周期が切り替えて登録される。
【００１７】
液晶表示モジュールの動作速度検査装置２０の冶具部２１には、液晶表示モジュール１０のＦＰＣ１４の電極に当接されて電気的に接続される電極を備えたＦＰＣ２２が設けられている。液晶表示モジュール１０は、ＦＰＣ１４，２２の電極が当接するように冶具部２１に位置決め載置され、ＦＰＣ２２がクランプ装置２３によりＦＰＣ１４に弾機的に押圧されることによって検査装置本体部２４と接続される。
【００１８】
検査装置本体部２４には、電源２５が設けられ、電源２５はＦＰＣ２２に設けられた電力線を介して駆動ＩＣチップ１３に電流を供給する。電源２５とＦＰＣ２２の電力線とを接続する電力線には、電源２５から駆動ＩＣチップ１３に供給される電流を検出する電流検出装置２６が接続されている。電流検出装置２６により検出された電流値は、Ａ／Ｄ変換回路２７によりデジタル信号に変換される。Ａ／Ｄ変換回路２７はコンピュータ２８に接続され、コンピュータ２８は、ＡＤ変換回路２７からデジタル信号を、液晶パネル１２に表示される画像を切り替える周期より十分短い所定微小時間Δｔ間隔で取り込み、電源２５から駆動ＩＣチップ１３に供給される電流値を時系列デジタル信号として取得する。
【００１９】
液晶表示モジュールの動作速度検査装置２０においては、液晶パネル１２に表示される画像を切り替える動作速度としての指令周期Ｔｃが、作業者によりコンピュータ２８に入力され、コンピュータ１８のメモリに割り付けられた周期設定エリア２９に記憶される。周期設定エリア２９は、駆動回路に液晶表示モジュール１０の動作速度を指令する動作速度指令手段を構成する。
【００２０】
駆動ＩＣチップ１３に供給される電流値は、駆動ＩＣチップ１３が液晶パネル１２の電極に電圧を印加して液晶パネル１２に表示される画像を切り替える毎に周期的に増減するので、コンピュータ２８は、時系列デジタル信号の周期的変化を検出し、この周期的変化の周期Ｔを演算することにより、駆動ＩＣチップ１３が液晶パネル１２に表示される画像を実際に切り替える液晶表示モジュール１０の動作速度を検出する。
【００２１】
演算処理装置であるコンピュータ２８は、図３に示す動作速度検査プログラム３０を実行することにより、周期設定エリア２９に記憶された指令周期Ｔｃおよび画像データを読み出して駆動ＩＣチップ１３に送信する（ステップＳ１）。駆動ＩＣチップ１３は送信された指令周期Ｔｃおよび画像データをメモリに記憶し、指令周期Ｔｃに応じて液晶パネル１２の電極に電圧を印加し、画像データに基づく画像を液晶パネル１２に表示する。コンピュータ２８は、ＡＤ変換回路２７からデジタル信号を所定微小時間Δｔ間隔で取り込んで電源２５から駆動ＩＣチップ１３に供給される電流値の時系列デジタル信号を読み込む（ステップＳ２）。
【００２２】
即ち、図４に示すように指令周期Ｔｃの２周期分以上の長さの読込み期間Ｒｔ中にＡＤ変換回路２７から出力される時系列デジタル信号を所定微小時間Δｔ間隔で読み込む。これにより、コンピュータ２８のメモリには、読込み期間Ｒｔ分の時系列デジタル信号が記憶される。例えば、コンピュータ２８のメモリの周期設定エリア２８に登録された指令周期Ｔｃが２０mse（５０Ｈｚ）である場合、コンピュータ２８は読込み周期Ｒｔを指令周期Ｔｃの２周期分である４０mse以上に設定し、読込み周期Ｒｔ中の時系列デジタル信号を読み込む。液晶表示モジュールの動作速度検査装置２０のコンピュータ２８は、液晶表示モジュール１０の駆動ＩＣチップ１３と非同期に測定を行うので、読込み周期Ｒｔが短いと、駆動ＩＣチップ１３が液晶パネルの電極を指令周期Ｔｃで電圧を印加することによって生じる時系列デジタル信号の周期的変化の周期を検出できないことが発生する。読込み期間Ｒｔを指令周期Ｔｃの２周期分以上の長さとすることにより、読込み期間Ｒｔ中に読み込まれた時系列デジタル信号の中には、その周期的変化の少なくとも１周期分のデータが必ず含まれるので、コンピュータ２８は時系列デジタル信号の周期的変化の周期を必ず算出することができる。
【００２３】
そして、コンピュータ２８は読み込んだ時系列デジタル信号の周期的変化の周期Ｔｒを演算することにより、駆動ＩＣチップ１３が液晶パネル１２に表示される画像を実際に切り替える液晶表示モジュール１０の動作速度として動作周期Ｔｒを演算する（ステップＳ３）。
【００２４】
即ち、コンピュータ２８は時系列デジタル信号を微分処理して変化点を検出し、変化点の間隔を算出することにより、時系列デジタル信号の周期的変化の周期を算出する。この時系列デジタル信号の周期的変化の周期が、駆動ＩＣチップ１３が液晶パネル１２に表示される画像を実際に切り替える液晶表示モジュール１０の動作周期Ｔｒとなる。
【００２５】
また、予め消費電流の変化が予測される場合や、変化量が大きい場合等には、駆動ＩＣチップ１３に供給される電流値が閾値を超えた期間と期間との周期を算出して動作周期Ｔｒとしてもよい。
【００２６】
この演算された動作周期Ｔｒと指令周期設定エリア２９に記憶された指令周期Ｔｃとの差が演算され、その差が許容値を超えると液晶表示モジュール１０が異常であると判定する（ステップＳ４）。このステップＳ４が、演算処理装置により求められた実際の動作速度と動作速度指令手段により指令された動作速度とを比較する比較手段を構成する。
【００２７】
コンピュータ２８には、表示装置３１が接続され、ステップＳ２で取得した時系列デジタル信号をグラフ化処理して表示装置３１にグラフ表示する（ステップＳ５）。コンピュータ２８は、指令周期設定エリア２９に記憶された指令周期Ｔｃで変化する基準時系列デジタル信号を実際の時系列デジタル信号を模して擬似的に作成し（ステップＳ６）、基準時系列デジタル信号を、指令された動作速度に基づいて駆動ＩＣチップ１３に供給されるべき基準電流値としてグラフ表示する（ステップＳ７）。
【００２８】
次に、上記実施の形態に係る液晶表示モジュールの動作速度検査装置２０の作動について説明する。動作速度を検査される液晶表示モジュール１０が、冶具部２１に位置決め載置され、ＦＰＣ２２がクランプ装置２３によりＦＰＣ１４に圧接され、液晶表示モジュール１０が検査装置本体部２４に接続される。液晶表示モジュール１０の動作速度を検査するときに、駆動ＩＣチップ１３が液晶パネル１２の電極に電圧を印加して液晶パネル１２に表示される画像を切り替える指令周期Ｔｃがコンピュータ２８に入力され、メモリの指令周期設定エリア２９に記憶される。
【００２９】
コンピュータ２８は検査開始指令が入力されると、動作速度検査プログラム３０を実行し、指令周期設定エリア２９に記憶された指令周期Ｔｃおよびメモリに記憶された画像データを読み出して駆動ＩＣチップ１３に送信する（ステップＳ１）。駆動ＩＣチップ１３は、指令周期Ｔｃに応じて液晶パネル１２の電極に電圧を印加し、画像データに基づく画像を液晶パネル１２に表示する。
【００３０】
電源２５は駆動ＩＣチップ１３に電流を供給し、電流検出装置２６は電源２５から駆動ＩＣチップ１３に供給される電流を電圧に変換して電流値を検出する。電流検出装置２６により検出された電流値は、Ａ／Ｄ変換回路２７によりデジタル信号に変換される。コンピュータ２８は、ＡＤ変換回路２７からデジタル信号を所定の微小時間Δｔ間隔で読み込み、時系列デジタル信号としてメモリに記憶する（ステップＳ２）。電源２５から駆動ＩＣチップ１３に供給される電流は、駆動ＩＣチップ１３が液晶パネル１２の電極に電圧を印加するときにパルス状に多くなるので、時系列デジタル信号は、駆動ＩＣチップ１３が液晶パネル１２に表示される画像を実際に切り替える毎に周期的に増減する。コンピュータ２８は、時系列デジタル信号の周期的変化を検出し、周期的変化の周期を演算することにより液晶表示モジュール１０の動作周期Ｔｒを動作速度として演算する（ステップＳ３）。具体的には、時系列デジタル信号において周期的に発生するパルス状変化部分の隣接する変化部分の発生時間差を演算することにより、液晶パネル１２に表示される画像の実際の切り替え周期を動作速度として求める。コンピュータ２８は、動作周期Ｔｒと指令周期設定エリア２９に記憶された指令周期Ｔｃとの差が許容値を超えると液晶表示モジュール１０が異常であると判定してその旨を表示装置３１に表示する（ステップＳ４）。また、液晶表示モジュール１０の消費電流を合わせて検査することもできる。
【００３１】
コンピュータ２８は、さらに、ステップＳ２で取得した時系列デジタル信号をグラフ化処理して表示装置３１にグラフ表示するとともに（ステップＳ５）指令周期設定エリア２９に記憶された指令周期Ｔｃで変化する基準時系列デジタル信号を実際の時系列デジタル信号を模して擬似的に作成し（ステップＳ６）、基準時系列デジタル信号を実際の時系列デジタル信号と共に表示装置３１にグラフ表示する（ステップＳ７）。検査員は、表示装置３１にグラフ表示された実際の時系列デジタル信号を基準時系列デジタル信号と比較することにより液晶表示モジュール１０の動作周期Ｔｒが指令周期Ｔｃに対して許容範囲にあるか否か判定することができる。さらに、動作周期Ｔｒに異常がある場合、実際の時系列デジタル信号の波形を異常原因の解析に利用することができる。
【図面の簡単な説明】
【００３２】
【図１】本発明に係る液晶表示モジュールの動作速度検査装置の実施の形態を示す図。
【図２】液晶表示モジュールを示す図。
【図３】動作速度検査プログラムを示す図。
【図４】読込み期間Ｒｔ中に読み込まれた時系列デジタル信号を示す図。
【符号の説明】
【００３３】
１０…液晶表示モジュール、１１…ガラス基板、１２…液晶パネル、１３…駆動ＩＣチップ（駆動回路）、１４，２２…ＦＰＣ、２０…液晶表示モジュール検査装置、２１…冶具部、２３…クランプ装置、２４…検査装置本体部、２５…電源、２６…電流検出装置、２７…Ａ／Ｄ変換回路、２８…コンピュータ、２９…指令周期設定エリア、３０…動作速度検出プログラム、３１…表示装置。
【図１】
2007156046.tif 000003
【図２】
2007156046.tif 000004
【図３】
2007156046.tif 000005
【図４】
2007156046.tif 000006